(57)【特許請求の範囲】
【請求項１】
外周面に腐食部を持つ金属管柱を補強する方法であって、
前記金属管柱の腐食部を除去する除去工程と、
前記除去が行われた除去部の周辺部に液状の樹脂を塗布する第１塗布工程と、
樹脂を含ませることで曲げ強度を向上し、長さ方向で形状が変化し難いようにした棒状の繊維を、前記除去部としての有底凹部または貫通孔における空間を跨ぐように前記金属管柱の表面に配置し、前記塗布された液状の樹脂を介して前記棒状の繊維を前記金属管柱に接着する接着工程と、
前記金属管柱に接着された前記棒状の繊維の表面に液状の樹脂を塗布する第２塗布工程とを含む
金属管柱の補強方法。
【請求項２】
前記接着工程では、複数の前記棒状の繊維をシート状に並べて構成される可撓性の繊維強化プラスチックシートを前記金属管柱に巻き付け、前記塗布された液状の樹脂を介して前記繊維強化プラスチックシートを前記金属管柱に接着し、
前記第２塗布工程では、前記金属管柱に接着された前記繊維強化プラスチックシートの表面に液状の樹脂を塗布する
請求項１に記載の金属管柱の補強方法。
【請求項３】
前記接着工程では、前記複数の棒状の繊維が前記金属管柱の周方向に並び、かつ、前記棒状の繊維の長さ方向が前記金属管柱の高さ方向と略一致するように、前記繊維強化プラスチックシートが前記金属管柱に巻き付けられる
請求項２に記載の金属管柱の補強方法。
【請求項４】
前記金属管柱の補強方法は、さらに、
前記接着工程と前記第２塗布工程との間に、前記繊維強化プラスチックシートの表面において前記金属管柱にバンドを巻き付け、前記繊維強化プラスチックシートを前記金属管柱に押さえ付ける押さえ付け工程を含む
請求項２または３に記載の金属管柱の補強方法。
【請求項５】
請求項１〜４のいずれかに記載した金属管柱の補強方法によって、前記金属管柱の表面に前記棒状の繊維が接着されている
金属管柱の補強構造。
【発明の詳細な説明】
【技術分野】
【０００１】
本発明は、金属管柱の補強方法及び補強構造に関し、特に可撓性の繊維強化プラスチックシートを用いた金属管柱の補強方法及び補強構造に関する。
【背景技術】
【０００２】
従来から、照明柱又は標識柱等には金属製の管柱（金属管柱）が用いられており、金属管柱は、通常、コンクリート基礎にボルト接合されるベースプレートをその下端部に溶接固定し、ベースプレートを地中に埋設することにより設置される。
【０００３】
金属管柱は、設置されてから長期間経過すると、特に湿気や雨水が溜まりやすい地表面近くの部分の塗装またはめっきが剥離し、その剥離個所が雨水によって腐食して腐食部を形成することで弱くなることが知られている。腐食部を有する金属管柱は、強風や人が触れただけで腐食部を起点に折れ曲がる恐れがあり、非常に危険である。
【０００４】
近年、このような腐食部を有する金属管柱が多くなっており、金属管柱の腐食部を補強する技術が種々提案されている。例えば、特許文献１には、金属管柱の腐食部近傍の外周囲を取り巻き、金属管柱との間にモルタル充填空間が形成される補強管を備える補強材が開示されている。この補強材は、さらに、金属管柱の腐食部近傍の内部に上下方向に沿って挿入され、周方向に２分割された一対の半割り管と、金属管柱と同径で、一対の半割り管の周囲に嵌合されたリングとを備えている。
【先行技術文献】
【特許文献】
【０００５】
【特許文献１】特許第５０１４５２０号公報
【発明の概要】
【発明が解決しようとする課題】
【０００６】
ところで、特許文献１に記載の補強材では、補強管に金属管柱が挿入されるため、補強管の内径は金属管柱の外径より大きくてはならない。また同様に、一対の半割り管は金属管柱に挿入されるため、一対の半割り管の外径は金属管柱の内径より小さくてはならない。従って、金属管柱の大きさに応じて異なる補強管及び半割り管を用意する必要があり、汎用性が低いという問題がある。
そこで、本発明は、かかる問題点に鑑み、汎用性の高い金属管柱の補強方法及び補強構造を提供することを目的とする。
【課題を解決するための手段】
【０００７】
上記目的を達成するために、本発明の一態様に係る金属管柱の補強方法は、外周面に腐食部を持つ金属管柱を補強する方法であって、前記金属管柱の腐食部を除去する除去工程と、前記除去が行われた除去部の周辺部に液状の樹脂を塗布する第１塗布工程と、樹脂を含ませることで曲げ強度を向上し、長さ方向で形状が変化し難いようにした棒状の繊維を、前記除去部としての有底凹部または貫通孔における空間を跨ぐように前記金属管柱の表面に配置し、前記塗布された液状の樹脂を介して前記棒状の繊維を前記金属管柱に接着する接着工程と、前記金属管柱に接着された前記棒状の繊維の表面に液状の樹脂を塗布する第２塗布工程とを含むことを特徴とする。
【０００８】
ここで、前記接着工程では、複数の前記棒状の繊維をシート状に並べて構成される可撓性の繊維強化プラスチックシートを前記金属管柱に巻き付け、前記塗布された液状の樹脂を介して前記繊維強化プラスチックシートを前記金属管柱に接着し、前記第２塗布工程では、前記金属管柱に接着された前記繊維強化プラスチックシートの表面に液状の樹脂を塗布してもよい。
【０００９】
また、前記接着工程では、前記複数の棒状の繊維が前記金属管柱の周方向に並び、かつ、前記棒状の繊維の長さ方向が前記金属管柱の高さ方向と略一致するように、前記繊維強化プラスチックシートが前記金属管柱に巻き付けられてもよい。
【００１０】
また、前記金属管柱の補強方法は、さらに、前記接着工程と前記第２塗布工程との間に、前記繊維強化プラスチックシートの表面において前記金属管柱にバンドを巻き付け、前記繊維強化プラスチックシートを前記金属管柱に押さえ付ける押さえ付け工程を含んでもよい。
【００１１】
また、本発明の一態様に係る金属管柱の補強構造は、上記金属管柱の補強方法によって、前記金属管柱の表面に前記棒状の繊維が接着されていることを特徴とする。
【発明の効果】
【００１２】
本発明によれば、汎用性の高い金属管柱の補強方法及び補強構造を実現することができる。
【図面の簡単な説明】
【００１３】
【図１】本発明の実施形態に係る金属管柱の補強方法を説明するための斜視図である。
【図２】本発明の実施形態に係る金属管柱の補強方法を説明するための斜視図である。
【図３】本発明の実施形態に係る金属管柱の補強方法の変形例を説明するための斜視図である。
【発明を実施するための形態】
【００１４】
以下、本発明の実施形態について、図面を用いて詳細に説明する。
まず、本発明の実施形態に係る金属管柱の補強方法について、図１〜２を用いて説明する。
図１及び図２は、本実施形態に係る金属管柱１０の補強方法を説明するための斜視図である。
【００１５】
本実施形態に係る金属管柱１０の補強方法は、設置されてから長期間経過し、地表面２０近くの外周部分に錆等の腐食部１１が発生した金属柱管１０を補強する方法であって、可撓性の繊維強化プラスチックシート３０を用いるものである。
【００１６】
金属管柱１０は、鋼、アルミニウム及びステンレス等から構成される管状の柱であり、外周面に灯具や看板が取り付けられると共に、その下端が地中に埋設されて、照明柱又は標識柱等を構成する。本実施形態において、金属管柱１０の下端にはベースプレート１２が溶接固定されており、ベースプレート１２はコンクリート基礎にボルト接合されている（図示しない）。本実施形態の金属管柱１０は円柱であるが、これに限定されず、多角形柱であってもよい。
【００１７】
繊維強化プラスチックシート３０は、図２（ａ）に示すように、すだれ状のシートであり、樹脂を含侵させて強度（特に曲げ強度）向上が図られた棒状の繊維３１をその長手方向と交差する方向、例えば直交する方向に複数本を並列配置し、配置された繊維３１を連結部材３２により連結して構成されている。従って、繊維強化プラスチックシート３０は、繊維３１の長さ方向で形状が変化し難く、繊維３１の並び方向で形状が変化し易い可撓性のシートとなっている。このように繊維強化プラスチックシート３０がすだれ状に構成されたことにより、金属管柱１０への巻き付け易さと金属管柱１０の強固な補強との両立が可能である。本実施形態において、連結部材３２として紐を用い、繊維３１として炭素繊維を用いている。
本実施形態の金属管柱１０の補強方法では、まず、図１（ａ）に示すように、外周部分に腐食部１１を持つ金属管柱１０が作業者の目視により確認される。
【００１８】
次に、図１（ｂ）に示すように、腐食部１１全体が露出するまで金属管柱１０周囲の地表面２０が掘削されて掘削部２１が形成される。例えば、金属管柱１０の地中に埋設されていた下部が全て露出し、金属管柱１０の下端周囲のベースプレート１２の少なくとも一部が露出する深さまで、金属管柱１０周囲の地表面２０が掘削される。掘削部２１は、後述する作業を地表面２０が支障しない程度の体積で形成されることが好ましい。
【００１９】
次に、図１（ｃ）に示すように、腐食部１１に対して研磨（ケレン）等が行われることにより腐食部１１が全て除去される。この除去が行われた金属管柱１０の部分である除去部１３は図１（ｃ）で略長方形状であるが、腐食部１１の形状に応じ、除去部１３も種々の形状となる。このとき、腐食部１１は金属管柱１０の管厚み方向の浅くに留まり、除去部１３として有底凹部が形成されている。
【００２０】
次に、図２（ａ）に示すように、金属管柱１０における除去部１３及び除去部１３の外縁と同一高さに位置する第１塗布部分と、第１塗布部分の上下に位置する第２塗布部分（擦付け部分）とに液状の樹脂４０が塗布される。例えば、金属管柱１０における第１塗布部分の上端に隣接して位置する幅１０ｍｍの部分と、第１塗布部分の下端に隣接して位置する幅１０ｍｍの部分とを第２塗布部分として塗布が行われる。この塗布により、除去部１３である有底凹部の空間は樹脂４０によって埋められる。このため、除去部１３の位置にて繊維強化プラスチックシート３０を安定的に配置できる。
【００２１】
このとき、樹脂４０が塗布される第１塗布部分及び第２塗布部分に対して、金属管柱１０の塗装またはめっきを除去するために、図１（ｃ）の腐食部１１の除去が行われた後で、プライマーとしての液状の樹脂が塗布及び乾燥されてプライマー処理が行われることが好ましい。
【００２２】
また、第１塗布部分及び第２塗布部分を合わせた塗布部分に確実に樹脂４０が塗布されるように、塗布部分の上端と下端との距離は、繊維強化プラスチックシート３０の幅（繊維３１の長さ）より大きく、遊び領域がある距離であることが好ましい。この場合、繊維強化プラスチックシート３０を金属管柱１０に巻き付けた後、繊維強化プラスチックシート３０の上端及び下端の少なくともいずれかに樹脂４０がはみ出て存在することとなる。
【００２３】
次に、図２（ａ）及び図２（ｂ）に示すように、金属管柱１０の塗布部分に繊維強化プラスチックシート３０が巻き付けられ、樹脂４０を接着剤として繊維強化プラスチックシート３０が金属管柱１０に接着される。
このとき、繊維強化プラスチックシート３０の巻き付けにおいて、繊維３１の長さ方向が金属管柱１０の高さ方向と略一致するようにされることが好ましい。巻き付け作業を容易に行うことができるからである。
本実施形態では、巻き付け後、繊維強化プラスチックシート３０における複数の繊維３１間からは樹脂４０がはみ出て存在する。なお、複数の繊維３１間から樹脂４０をはみ出させず、巻き付け後に塗布する後述の樹脂４１が複数の繊維３１間に入り込むようにすることもできる。
【００２４】
上記巻き付けは、金属管柱１０の全周を繊維強化プラスチックシート３０が覆うように、つまり、繊維強化プラスチックシート３０において長手方向（繊維３１の並ぶ方向）における両端部が略一致するようにすることが好ましい。金属管柱１０の全周を均一に補強できるからである。
【００２５】
次に、図２（ｃ）に示すように、繊維強化プラスチックシート３０の表面に液状の樹脂４１が塗布され、繊維強化プラスチックシート３０の表面が樹脂４１により被覆され、保護される。この樹脂４１の被覆による保護により、補強箇所の耐候性を向上できる。
【００２６】
このとき、繊維強化プラスチックシート３０の全面で確実に樹脂４１が塗布されるように、繊維強化プラスチックシート３０の上端及び下端からはみ出るように、樹脂４１が塗布されることが好ましい。
【００２７】
なお、上記金属管柱１０の補強方法において、プライマーとしての樹脂と、接着剤としての樹脂４０と、被覆材としての樹脂４１とは、主剤及び硬化剤の混合比を変えた２液混合の同じ樹脂により構成することができる。例えば、プライマーとしての樹脂、樹脂４０及び４１はエポキシ樹脂を用いることができる。
【００２８】
以上のように、本実施形態の金属管柱１０の補強方法は、外周面に腐食部１１を持つ金属管柱１０を補強する方法であって、金属管柱１０の腐食部１１を除去する除去工程（図１（ｃ））を含む。そして、同補強方法は、さらに、除去が行われた除去部１３の周辺部に液状の樹脂４０を塗布する第１塗布工程（図２（ａ））を含む。そして、同補強方法は、さらに、樹脂を含ませた複数の棒状の繊維３１をシート状に並べて構成される可撓性の繊維強化プラスチックシート３０を、除去部１３を覆うように金属管柱１０に巻き付け、液状の樹脂４０を介して繊維強化プラスチックシート３０を金属管柱１０に接着する接着工程（図２（ａ）及び図２（ｂ））を含む。そして、同補強方法は、さらに、金属管柱１０に接着された繊維強化プラスチックシート３０の表面に液状の樹脂４１を塗布する第２塗布工程（図２（ｃ））を含む。
【００２９】
このような構成により、可撓性の繊維強化プラスチックシート３０を金属管柱１０に巻き付けて金属管柱１０の補強を行うため、特許文献１のように、金属管柱１０の大きさに応じた大きさの部材を用意する必要がない。従って、特許文献１と比較して、汎用性の高い金属管柱１０の補強方法を提供することができる。
【００３０】
また、本実施形態の金属管柱１０の補強方法の接着工程では、複数の棒状の繊維３１が金属管柱１０の周方向に並び、かつ、棒状の繊維３１の長さ方向が金属管柱１０の高さ方向と略一致するように、繊維強化プラスチックシート３０が金属管柱１０に巻き付けられる。
【００３１】
このような構成により、金属管柱１０がより折れ曲がり難くなるように繊維強化プラスチックシート３０を金属管柱１０に巻き付けることができ、金属管柱１０を強固に補強することができる。
また、本実施形態の金属管柱１０の補強構造は、上記金属管柱１０の補強方法によって、金属管柱１０の表面に棒状の繊維３１が接着された構造であって、腐食部１１を持っていた金属管柱１０が強固に補強されている。
（変形例）
【００３２】
次に、本実施形態の変形例に係る金属管柱１０の補強方法について、図３を用いて説明する。以下、上記実施形態の金属管柱１０の補強方法と異なる点を中心に説明する。
図３は、本変形例に係る金属管柱１０の補強方法を説明するための斜視図である。
【００３３】
本変形例の金属管柱１０の補強方法が上記実施形態の金属管柱１０の補強方法と異なる点は、繊維強化プラスチックシート３０が金属管柱１０に巻き付けられた後で繊維強化プラスチックシート３０の表面を樹脂４１で被覆する前に、繊維強化プラスチックシート３０の上から金属管柱１０にバンド５０を巻き付ける点である。それ以外の構成は、上記実施形態に係る金属管柱１０の補強方法と同じである。
【００３４】
バンド５０は、可撓性の針金、金属バンド又は樹脂バンド等である。バンド５０は、金属管柱１０に巻き付けた後、巻き付け状態を固定することにより使用される。
【００３５】
本変形例の金属管柱１０の補強方法では、まず、図２（ａ）及び図２（ｂ）に示すように、樹脂４０を接着剤として金属管柱１０に繊維強化プラスチックシート３０が巻き付けられる。
【００３６】
次に、図３（ａ）及び図３（ｂ）に示すように、繊維強化プラスチックシート３０を金属管柱１０の外周面に押さえ付けるように、繊維強化プラスチックシート３０の上から金属管柱１０にバンド５０が巻き付けられる。本実施形態において、同じ構成のバンド５０が２つ用意され、一方が繊維強化プラスチックシート３０の上部を押さえ付け、他方が繊維強化プラスチックシート３０の下部を押さえ付けるように金属管柱１０に巻き付けられている。
【００３７】
このとき、バンド５０の巻き付けは、繊維強化プラスチックシート３０の隣り合う繊維３１の隙間に樹脂４０が押し出される強さで行われる。これにより、繊維３１と金属管柱１０との間だけでなく、複数の繊維３１の間にも押し出された樹脂４０が存在するようになるため、繊維強化プラスチックシート３０をより強固に金属管柱１０に接着することができる。
【００３８】
次に、図３（ｃ）に示すように、バンド５０及び繊維強化プラスチックシート３０の表面に液状の樹脂４１が塗布され、バンド５０及び繊維強化プラスチックシート３０の表面が樹脂４１により被覆され、保護される。この樹脂４１の被覆による保護により、補強箇所の耐候性を向上できる。
【００３９】
以上のように、本変形例の金属管柱１０の補強方法は、接着工程（図２（ａ）及び図２（ｂ））と第２塗布工程（図３（ｃ））との間に、繊維強化プラスチックシート３０の表面において金属管柱１０にバンド５０を巻き付け、繊維強化プラスチックシート３０を金属管柱１０に押さえ付ける押さえ付け工程（図３（ａ）及び図３（ｂ））を含む。
【００４０】
このような構成により、バンド５０の巻き付けにより、金属管柱１０における樹脂４０が塗布された部分に繊維強化プラスチックシート３０を強く押さえ付けることができるため、繊維強化プラスチックシート３０をより強固に金属管柱１０に接着することができる。
【００４１】
また、繊維強化プラスチックシート３０の金属管柱１０への押さえ付けをローラやコテ等で行う場合と比較し、巻き付けという非常に簡易な方法で行うことができる。このような簡易な押さえ付け方法は、金属管柱１０の下端部付近に繊維強化プラスチックシート３０を巻き付ける必要のある金属管柱１０の補強方法において非常に有用であることは言うまでもない。
【００４２】
以上、本発明の金属管柱の補強方法及び補強構造について、実施形態に基づいて説明したが、本発明は、この実施形態に限定されるものではない。本発明の要旨を逸脱しない範囲内で当業者が思いつく各種変形を施したものも本発明の範囲内に含まれる。
【００４３】
例えば、上記実施形態において、接着工程では繊維強化プラスチックシート３０を金属管柱に巻き付けるとした。しかし、繊維強化プラスチックシート３０を構成する樹脂を含ませた棒状の繊維３１の１本又は複数本を、除去部１３を跨ぐように金属管柱１０の表面に配置し、液状の樹脂４０を介して棒状の繊維３１を金属管柱１０に接着し、金属管柱１０に接着された棒状の繊維３１の表面に液状の樹脂４１を塗布してもよい。
また、上記実施形態において、除去工程では、腐食部１１の除去が行われて有底凹部が除去部１３として形成され、第１塗布工程では、有底凹部つまり除去により新たに表面に露出した露出部とその周辺部とに液状の樹脂４０が塗布されるとした。しかし、腐食部１１が金属管柱１０の管厚み方向の深くまで達しており、腐食部１１の除去により金属管柱１０の管内部に達する貫通孔が形成される場合には、貫通孔が除去部１３として形成されるため、第１塗布工程では、除去部１３の周辺部にのみ液状の樹脂４０が塗布されてもよい。
また、上記実施形態において、１つの繊維強化プラスチックシート３０を金属管柱１０の周方向に巻き付けるとした。しかし、繊維強化プラスチックシート３０を複数のシートに分割し、分割したシートを金属管柱１０の周方向に並べて配置し金属管柱１０に接着して施工性を向上させてもよい。
また、上記実施形態において、繊維強化プラスチックシート３０を一層だけ金属管柱１０に配置し接着するとした。しかし、金属管柱１０に接着された繊維強化プラスチックシート３０の上にさらに繊維強化プラスチックシート３０を積層させて配置し、金属管柱１０に接着された繊維強化プラスチックシート３０に接着させ、補強強度を向上させてもよい。
【産業上の利用可能性】
【００４４】
本発明は、金属管柱の補強方法等において広く利用することができる。
【符号の説明】
【００４５】
１０    金属管柱
１１    腐食部
１２    ベースプレート
１３    除去部
２０    地表面
２１    掘削部
３０    繊維強化プラスチックシート
３１    棒状の繊維
３２    連結部材
４０、４１    液状の樹脂
５０    バンド
【図１】
0006518450.tif 000002
【図２】
0006518450.tif 000003
【図３】
0006518450.tif 000004